(57)【要約】【課題】面精度の低下を低減することで良好な光学性能を有するレンズ装置を提供する【解決手段】レンズと前記レンズと係合するレンズ係合部を備えたレンズ保持鏡筒と、前記レンズ保持鏡筒を固定する固定鏡筒とを備え、前記レンズ保持鏡筒は、前記固定鏡筒とレンズ光軸方向に当接する第一の当接部と、レンズ保持鏡筒周上部に形成された第一のねじ部を備え、前記固定鏡筒は前記レンズ保持鏡筒に設けられた第一のねじ部と係合する第二のねじ部と、前記第一のねじ部と当接する第二の当接部を備え、前記第一のねじ部と第二のねじ部の少なくとも一方は周上にねじの不連続な領域を有し、前記ねじの不連続な領域は前記レンズ係合部とレンズ光軸回りの周上において同一の位相に配置され、前記ねじの不連続な領域は前記第一の当接部及び第二の当接部と異なる位相に配置されることを特徴とするレンズ装置。【選択図】  図２
2019113648.tif 000002
【特許請求の範囲】
【請求項１】
レンズ（１０１）と
前記レンズと係合するレンズ係合部（１０２ａ）を備えたレンズ保持鏡筒（１０２）と、
前記レンズ保持鏡筒を固定する固定鏡筒（１０３）とを備え、
前記レンズ保持鏡筒は、前記固定鏡筒とレンズ光軸方向に当接する第一の当接部（１０２ｄ）と、前記レンズ保持鏡筒周上部に形成された第一のねじ部（１０２ｃ）を備え、
前記固定鏡筒は、前記レンズ保持鏡筒に設けられた前記第一のねじ部と螺合する第二のねじ部（１０３ａ）と、前記第一の当接部と当接する第二の当接部（１０３ｄ）を備え、
前記第一のねじ部と前記第二のねじ部の少なくとも一方はレンズ光軸周りの円周上にねじ部が形成される第一の領域（１０２ｅ）とねじ部が形成されない第二の領域（１０２ｆ）を有し、
前記第二の領域は、レンズ光軸回りの円周上において前記レンズ係合部と同一の位相に配置され、
前記第二の領域は、レンズ光軸回りの円周上において前記第一の当接部及び第二の当接部と異なる位相に配置されることを特徴とするレンズ装置。
【請求項２】
前記第一のねじ部（１０２ｃ）と前記第二のねじ部（１０３ａ）の少なくとも一方は、レンズ光軸回りの円周上において、少なくとも１周、ねじの連続する第三の領域（２０１ｂ）を有し、前記第二の領域（１０２ｆ）と同位相の領域において、第一のねじ部と第二のねじ部が螺合しないことを特徴とする請求項１に記載のレンズ装置。
【請求項３】
前記レンズ保持鏡筒は、前記固定鏡筒とレンズ光軸と直交方向の位置決めを行う第一の径嵌合部（３０２ａ）を備え、前記固定鏡筒は前記第一の径嵌合部と係合する第二の径嵌合部（３０１ａ）を備え、前記第一の径嵌合部は前記第一のねじ部とレンズ光軸方向において同一の位置に配置されることを特徴とする請求項１に記載のレンズ装置。
【請求項４】
前記第一の当接部は、前記第一のねじ部が前記第二のねじ部と当接する山の斜面の角度に対して９０度以下の角度で構成される斜面（４０２ａ）を有することを特徴とする請求項１に記載のレンズ装置。
【発明の詳細な説明】
【技術分野】
【０００１】
本発明はレンズ装置に関する。
【背景技術】
【０００２】
従来から、レンズ装置のおける光学系の保持の為に樹脂成型により製造された鏡筒を用いてレンズの保持が行われている。光学系を高精度に保持するために、樹脂で成形された鏡筒は、特許文献１の図１にあるように、レンズの保持の為の精度保証された当接部をレンズ嵌合径上に有する。
【０００３】
一方、レンズ保持の為の鏡筒は、レンズ保持を高精度に行う為の成型性の向上の観点から、別の機能部品と独立して構成され、別機能部品に対して固定される構成が知られている。その際、固定方法として、レンズ保持鏡筒の周上に成型されたネジ形状と、相手部品に構成されたねじ形状を螺合して固定する構成が知られている。
【先行技術文献】
【特許文献】
【０００４】
【特許文献１】特開２００７−１７７１６号公報
【発明の概要】
【発明が解決しようとする課題】
【０００５】
しかしながら、上述の構成でレンズ保持の鏡筒と相手部品の固定を行う際に、レンズを高精度に保持するために光軸方向に当接面を設定する必要が生じる。保持鏡筒に構成されたねじに沿ってレンズ保持鏡筒を固定すると当接面に突き当たった際に、ネジの締め付けトルクがねじ斜面に沿って、光軸にレンズ保持鏡筒を変形させる力となり、レンズの面の歪みを増大させることにより光学性能の劣化を招いていた。
【０００６】
本発明は、上述の問題に鑑み、面精度の低下を低減することで良好な光学性能を有するレンズ装置を提供することを目的とする。
【課題を解決するための手段】
【０００７】
レンズと前記レンズと係合するレンズ係合部を備えたレンズ保持鏡筒と、前記レンズ保持鏡筒を固定する固定鏡筒とを備え、前記レンズ保持鏡筒は、前記固定鏡筒とレンズ光軸方向に当接する第一の当接部と、前記レンズ保持鏡筒周上部に形成された第一のねじ部を備え、前記固定鏡筒は、前記レンズ保持鏡筒に設けられた前記第一のねじ部と螺合する第二のねじ部と、前記第一の当接部と当接する第二の当接部を備え、前記第一のねじ部と前記第二のねじ部の少なくとも一方はレンズ光軸周りの円周上にねじ部が形成される第一の領域とねじ部が形成されない第二の領域を有し、前記第二の領域は、レンズ光軸回りの円周上において前記レンズ係合部と同一の位相に配置され、前記第二の領域は、レンズ光軸回りの円周上において前記第一の当接部及び第二の当接部と異なる位相に配置されることを特徴とする。
【発明の効果】
【０００８】
本発明によって、面精度の低下を低減することで良好な光学性能を有するレンズ装置を提供することができる。
【図面の簡単な説明】
【０００９】
【図１】本発明の実施例１における構成の断面図である。
【図２】本発明の実施例１におけるレンズ保持鏡筒の斜視図である。
【図３】本発明の実施例１におけるレンズ保持鏡筒の斜視図である。
【図４】本発明の実施例１におけるレンズ保持鏡筒の正面から見た図である。
【図５】本発明の実施例２におけるレンズ保持鏡筒の斜視図である
【図６】本発明の実施例２における構成の断面図である
【図７】本発明の実施例３における構成の断面図である
【発明を実施するための形態】
【００１０】
以下、図面を参照しながら本発明の好適な実施の形態を説明する。尚、以下の実施形態によりこの発明が限定されるものではない。
【００１１】
［実施例１］
図１は、本発明の一実施例であるレンズ装置の断面図である。なお、同一部材は同一記号で図示される。１０１は本レンズ装置を構成するレンズである。１０２はレンズ１０１を保持する保持鏡筒である。レンズ１０１はレンズ保持鏡筒１０２におけるレンズ係合部１０２aにおいて係合し、レンズ１０１の光軸と直交方向に位置が規制され、レンズ胴突き部１０２bにおいてレンズ１０１の光軸方向に規制される。レンズ１０１とレンズ保持鏡筒１０２の固定方法は、例えば熱による溶着によるものや、接着剤を用いた固定方法などが多岐にわたり知られているがここでは詳述しない。
【００１２】
レンズ保持鏡筒１０２は本実施例においてはプラスチックで成型されることを前提に記載するが本発明がこれにより限定されるものではない。レンズ保持鏡筒１０２はレンズ１０１を保持するための係合部１０２aを有し、レンズ鏡筒１０２が樹脂で成形された際に、レンズ係合部１０２aの寸法が安定し、レンズ１０１に不要な応力を与えて研磨面の歪みを発生させてしまうことを防いでいる。係合部１０２aはレンズ１０１の光軸と直交面での位置を拘束する為に最低３点の突起とする構成が多く知られている。
【００１３】
上述のようにレンズ保持鏡筒１０２はレンズ１０１を高精度に保持するために高精度に成型される必要がある。また、レンズ装置における最前面にレンズ１０１が配置される構成の光学系であればレンズ１０１は外装部と近くに配置されることとなり、レンズ保持鏡筒１０２に外装の機能を合わせて持たせる構成が知られている。
【００１４】
しかしながら、例えばズームレンズにおいてレンズ１０１の繰り出し量が大きい光学系のような場合、レンズ保持鏡筒１０２は大型化してしまい、レンズ保持の為の精度を維持することが困難となる。そのため固定鏡筒１０３のような部材にレンズ保持鏡筒１０２を固定して別体化する構成が知られている。保持鏡筒１０２は第一のねじ部１０２cを備えて、固定鏡筒１０３に備えられた第二のねじ部１０３aと螺合する。
【００１５】
レンズ保持鏡筒１０２と固定鏡筒１０３はレンズ保持鏡筒１０２に備えられた第一の当接部１０２dと固定鏡筒１０３に設けられた第二の当接部１０３bと当接してレンズ１０１の光軸方向に固定される。この際、確実にレンズ保持鏡筒１０２と固定鏡筒１０３が当接するために、レンズ保持鏡筒１０２にねじ部を締めこむ為のトルクをかける必要が生じる。
【００１６】
レンズ保持鏡筒１０２と固定鏡筒１０３が当接した時、締めこみのトルクは図２にあるように当接部で規制され、第一のねじ部１０２cと第二のねじ部１０３aに沿ってレンズ１０１の光軸と直交する図１におけるＡの方向の力へと変換される。
【００１７】
図２は保持鏡筒１０２の斜視図である。第一の当接部１０２dは保持鏡筒１０２の寸法安定の為に３点の座面形状で構成している。保持鏡筒１０２における第一のねじ部１０２cは第一の当接部１０２dと同一位相以外をねじの不連続な領域とした間欠状のねじとし、ここでねじ部が形成される第一の領域を１０２e、ねじ部が形成されない第二の領域を１０２fとする。ねじ部が形成される第一の領域１０２eは第一の当接部１０２dと同一の位相に配置することにより保持鏡筒１０２の不要な変形を防ぐことができる。
【００１８】
一方、ねじの構成されている位相１０２eとレンズ保持鏡筒１０２に３点設けられたレンズ保持係合部１０２aは異なる位相に配置している。これは前述の通り、第一の当接部１０２dと第二の当接部１０３bが当接した時にねじの締めこみトルクによるレンズ１０１の光軸方向に作用する力がレンズ保持鏡筒１０２にかかる。その際変形が起こりレンズ係合部１０２を経由してレンズ１０１の外周部へと作用することを防ぐためである。以上により、面精度の低下を低減することで良好な光学性能を有するレンズ装置を提供することが可能である。
【００１９】
［実施例２］
図５は請求項２に記載されるレンズ装置に使用されるレンズ保持鏡筒２０１の斜視図である。レンズ保持鏡筒２０１は固定鏡筒１０３に備えられた第二のねじ部１０３aと螺合する第一のねじ部２０１aを備えている。第一のねじ部２０１aは固定鏡筒１０３とねじを螺合し始める際にはじめに螺合し始めるはじめの一周を連続したネジ形状で形成している。
【００２０】
ねじ部２０１aは相手である第二のねじ部１０３aと螺合する領域と、連続していているが第二のねじ部１０３aとは螺合しない第三の領域２０１bと、ねじの接続しない第二の領域である２０１cを有している。これによりレンズ保持鏡筒２０１と固定鏡筒１０３のねじの組み込みはじめで、異なる位相へ組み込まれ、不要な変形がレンズ保持鏡筒２０１を介してレンズ１０１へと作用してしまうことを防ぐためである。以上により、面精度の低下を低減することで良好な光学性能を有するレンズ装置を提供することが可能である。
【００２１】
［実施例３］
図６は請求項３に記載されるレンズ装置に使用されるレンズ保持鏡筒３０１と固定鏡筒３０２の断面図となる。ここで、固定鏡筒３０２とレンズ保持鏡筒３０１は、固定鏡筒３０２に備えられた第二の径嵌合部３０２aとレンズ保持鏡筒に備えられた第一の径嵌合部３０１aによる嵌合でレンズ１０１の光軸と直交する面内で位置決めされる。図６のように、径嵌合部３０２aの外側、すなわち、レンズ１０１の光軸上で同一の位置に第一のねじ部３０１bを配置する。
【００２２】
このことにより、実施例１の図１にて説明をした第一のねじ部３０１bに働くレンズ１０１方向の力Ａを固定鏡筒３０２によって受けることができる。そのことにより、レンズ１０１に働く力を低減し、面精度の低下を低減することで良好な光学性能を有するレンズ装置を提供することが可能である。
【００２３】
［実施例４］
図７は請求項４に記載されるレンズ装置に使用されるレンズ保持鏡筒４０１と固定鏡筒４０２の断面図となる。ここで、固定鏡筒４０２に設けられた斜面４０２aは第一のねじ部４０１aに対して９０度以下のＢの角度をもった斜面状の形状としている。これは、固定鏡筒４０２にレンズ保持鏡筒４０１を回転させながら組み込みを行う際に、図１で示したレンズ光軸方向に働く力Ａと同様に、第一のねじ部からレンズ１０１の光軸方向に向かう力が発生してレンズ１０１を変形させてしまうことを防ぐためである。保持鏡筒４０１を第一のねじ部４０１cに沿って螺合させていくと固定鏡筒４０２の当接部４０２aとレンズ保持鏡筒４０１の当接部４０１aは当接する。
【００２４】
その際、レンズ当接部４０１aをレンズ光軸に対して傾斜した斜面とすると、レンズ保持鏡筒４０１がねじの螺合により光軸方向に進む動きを停止させると同時に図のＣ方向の力が発生する。このＣ方向の力と第一のねじ部において発生したＤ方向のちからが打ち消し合い、レンズ１０１に与える力を軽減することが可能となる。そのことにより面精度の低下を低減することで良好な光学性能を有するレンズ装置を提供することが可能である。
【符号の説明】
【００２５】
１０１    レンズ
１０２    レンズ保持鏡筒
１０２ａ  レンズ係合部
１０２ｂ  レンズ胴突き部
１０２ｃ  第一のねじ部
１０２ｄ  第一の当接部
１０２ｅ  ねじ部が形成される第一の領域
１０２ｆ  ねじ部が形成されない第二の領域
１０３    固定鏡筒
１０３ａ  第一のねじ部
１０３ｂ  第二の当接部
２０１    レンズ保持鏡筒
２０１ａ  第二のねじ部
２０１ｂ  第三の領域
２０１ｃ  第二の領域
３０１    レンズ保持鏡筒
３０１ａ  第二の径嵌合部
３０１ｂ  第一のねじ部
３０２    固定鏡筒
３０２ａ  第一の径嵌合部
３０２ｂ  第二のねじ部
４０１    レンズ保持鏡筒
４０２    固定鏡筒
４０２ａ  斜面
Ａ        光軸方向に働くちから
Ｂ        第一のねじ部斜面と第一の当接部の斜面のなす角度
Ｃ        第一の当接面に働く力
Ｄ        第一のねじ部に働く力
【図１】
2019113648.tif 000003
【図２】
2019113648.tif 000004
【図３】
2019113648.tif 000005
【図４】
2019113648.tif 000006
【図５】
2019113648.tif 000007
【図６】
2019113648.tif 000008
【図７】
2019113648.tif 000009